(57)【要約】【課題】ペットの遊具を備える家具を省スペース化することを課題とする。【解決手段】右棚５の内側に縦方向へ延びるペット移動経路Ｒ１を設けたので、収納スペースの外側にペットの足場の占居スペースを確保する必要がなく、ペットの遊具を備える家具１を省スペース化することができる。【選択図】図１
2019062971.tif 000002
【特許請求の範囲】
【請求項１】
ペットの遊具を備える家具であって、
縦方向へ延びるペット移動経路が内側に設けられた棚を有することを特徴とする家具。
【請求項２】
前記棚は、
対向して配置される一対の側板と、
前記一対の側板間に設けられる踏板と、
を有することを特徴とする請求項１に記載の家具。
【請求項３】
前記踏板は、縦方向に間隔をあけて複数枚が設けられることを特徴とする請求項２に記載の家具。
【請求項４】
前記踏板は、一方の側板と他方の側板とに交互に設けられることを特徴とする請求項３に記載の家具。
【請求項５】
横方向へ延びるペット移動経路が内側に設けられた上置を有し、
前記上置は、前記棚の天板上に設けられ、
前記棚の天板および前記上置の地板に、前記棚の内側のペット移動経路と前記上置の内側のペット移動経路とを連続させる開口が設けられることを特徴とする請求項１−４のいずれかに記載の家具。
【請求項６】
天板上に前記棚が配置される下置を有し、
前記下置は、テレビ台であることを特徴とする請求項１−５のいずれかに記載の家具。
【発明の詳細な説明】
【技術分野】
【０００１】
本発明は、家具に関するもので、特に、ペットの遊具を備える家具に関する。
【背景技術】
【０００２】
特許文献１には、猫の遊具（キャットリビング）に変形可能な室内家具が開示されている。この室内家具は、固定ユニットと移動ユニットとによって構成される分割ユニットを備え、猫の遊具として使用するとき、取り外した移動ユニットを側板に並べることにより、猫が上り下りする階段部を現出させるものである。また、特許文献２には、収納状態と突出状態との間で水平方向へ回動可能な複数個のボックスを備える収納家具が開示されている。この収納家具は、突出状態にある複数個のボックスを足場として、猫が上り下りできるように構成されたものである。
【先行技術文献】
【特許文献】
【０００３】
【特許文献１】特開２００３−２６５２５４号公報
【特許文献２】特開２０１１−１５６０５６号公報
【発明の概要】
【発明が解決しようとする課題】
【０００４】
特許文献１に記載された室内家具は、猫の遊具として使用するとき、固定ユニットから移動ユニットを取り外し、取り外した移動ユニットを下部収容部の側板の横に並べることが必要である。他方、特許文献２に記載された収納家具は、猫が上り下りできるようにするとき、収納部に収納されたボックスを水平方向へ回動させて箱体から突出させることが必要である。このように、前述した家具は、猫の遊具として使用するときの状態が、収納として使用するときの状態と相違し、収納スペースの外側に、猫の足場（移動ユニットおよびボックス）の占居スペースを確保する必要がある。
【０００５】
そこで本発明は、上記事情に鑑みてなされたもので、ペットの遊具を備える家具を省スペース化することを課題としてなされたものである。
【課題を解決するための手段】
【０００６】
上記課題を解決するために、本発明は、ペットの遊具を備える家具であって、縦方向へ延びるペット移動経路が内側に設けられた棚を有することを特徴とする。
【発明の効果】
【０００７】
本発明によれば、収納スペースの外側にペットの移動経路のための占居スペースを確保する必要がないので、ペットを備える家具を省スペース化することができる。
【図面の簡単な説明】
【０００８】
【図１】本実施形態に係る家具の斜視図である。
【図２】本実施形態に係る家具の分解斜視図である。
【図３】本実施形態に係る家具の斜視図である。
【発明を実施するための形態】
【０００９】
本発明の一実施形態を添付した図を参照して説明する。
ここで、図１、図３は本実施形態に係る家具１の斜視図、図２は本実施形態に係る家具１の分解斜視図である。説明の便宜上、図１に示される座標軸に沿って、上下方向（縦方向）、左右方向（横方向）、および前後方向を定めるが、本実施形態に係る家具１を限定するものではない。なお、遊具の対象となるペットを、高所を好む習性を持つ猫とする。
【００１０】
図１、図２を参照すると、家具１は、上置２、下置３、左棚４、および右棚５を有する。下置３は、上下方向長さ（高さ）および前後方向長さ（奥行）に対して左右方向長さ（横幅）が長い箱形に形成される。下置３は、天板１１、地板１２、左側板１３（図３参照）、および右側板１４によって外枠が形成される。天板１１は、長方形に形成され、下置３の全長にわたって左右方向へ延びる。天板１１の上面には、左棚４および右棚５が配置される。なお、本実施形態に係る家具１の下置３はテレビ台であり、テレビ（図示省略）は、天板１１上の中央、すなわち、左棚４と右棚５との間に載置される。また、天板１１には、下置３を住宅の壁（図示省略）に隙間なく寄せたとき、テレビから延びるケーブル（電源ケーブル、信号ケーブル等）を挿通させるための切欠き１５が設けられる。
【００１１】
図３を参照すると、下置３の左右両側には、猫の居所となるスペース１７，１８が設けられる。左側のスペース１７は、天板１１、地板１２、左側板１３、左仕切板１９、左扉板２１、および背板（図示省略）によって区画される。左扉板２１は、左側板１３に上下一対で設けられた蝶番１６によって右開きに開閉可能に支持される。また、左扉板２１には、猫が左側のスペース１７に出入りするための円形の開口２３が設けられる。一方、右側のスペース１８は、天板１１、地板１２、右側板１４、右仕切板２０、右扉板２２、および背板（図示省略）によって区画される。右扉板２２は、右側板１４に上下一対で設けられた蝶番（図示省略）によって左開きに開閉可能に支持される。また、右扉板２２には、猫が右側のスペース１８に出入りするための円形の開口２４が設けられる。
【００１２】
下置３の左側のスペース１７と右側のスペース１８との間のスペース、換言すると、左仕切板１９と右仕切板２０との間のスペースは、中棚板２７によって上下に区画される。中棚板２７の下方のスペースには、一対の引出し２５，２６が横並びに設けられる。各引出し２５，２６は、一対のレール（図示省略）によって前後方向へスライド可能に案内される。中棚板２７の上方のスペース２９、換言すると、中棚板２７、天板１１、左仕切板１９、右仕切板２０、および背板（図示省略）によって区画されるスペース２９は、中立板２８によって左右に区画される。なお、当該スペース２９には、録画再生装置等を収容することができる。また、スペース２９を区画する背板には、録画再生装置等から延びるケーブルを挿通させるための隙間（図示省略）が設けられる。
【００１３】
左棚４は、左右方向長さ（横幅）および前後方向長さ（奥行）に対して上下方向長さ（高さ）が長い箱形に形成される。左棚４は、天板３１、地板３２、左側板３３、右側板３４、扉板３５、および背板（図示省略）を有する。地板３２は、複数対（本実施形態では４対）のボルト３６およびナット３７（図２参照）によって、下置３の天板１１に固定される。扉板３５は、左側板に上下一対で設けられた蝶番３８（図３参照）によって右開きに開閉可能に支持される。なお、左側板３３と右側板３４との間には、上下方向へ位置調節可能な複数枚（本実施形態では３枚）可動棚３９（図３参照）が設けられる。可動棚３９は、左側板３３と右側板３４とに設けられた孔に差し込まれた棚ダボ（図示省略）によって支持される。
【００１４】
次に、猫の遊具となる右棚５および上置２を説明する。
右棚５は、前面が開放された箱形に形成される。図１、図２を参照すると、右棚５は、天板４１、地板４２、左側板４３（一方の側板）、および右側板４４（他方の側板）によって外枠が形成される。当該外枠の背面には、背板４５が設けられる。地板４２は、複数対（本実施形態では４対）のボルト４６およびナット４７（図２参照）によって、下置３の天板１１に固定される。左側板４３と右側板４４との間には、複数枚（本実施形態では２枚）の踏板４８，４９が設けられる。踏板４８，４９は、上下方向（縦方向）に間隔をあけて、左側板４３と右側板４４とに交互に設けられる。
【００１５】
下側の踏板４８は、左側縁部が２本のボルト５０によって左側板４３に固定され、後側縁部が２本のボルト５１によって背板４５に固定される。上側の踏板４９は、右側縁部が２本のボルト５２によって右側板４４に固定され、後側縁部が２本のボルト５３によって背板４５に固定される。そして、地板４２と踏板４８との間、踏板４８と右側板４４との間、踏板４８と踏板４９との間、踏板４９と左側板４３との間、および踏板４９と天板４１との間には、猫が通過可能な間隔が設けられ、天板４１には、猫が通過可能な円形の開口５４（図２参照）が設けられる。このように、右棚５の内側には、図１に示される猫の移動経路Ｒ１（ペット移動経路）が設けられる。
【００１６】
上置２は、前面が開放された箱形に形成され、図１に示されるように左棚４と右棚５とに架設される。上置２は、天板６１、地板６２、左側板６３、および右側板６４によって外枠が形成される。当該外枠の背面には、背板（図示省略）が設けられる。地板６２の左側部分は、複数対（本実施形態では４対）のボルト６５およびナット６６（図２参照）によって、左棚４の天板３１に固定される。他方、地板６２の右側部分は、複数対（本実施形態では４対）のボルト６７およびナット６８（図２参照）によって、右棚５の天板４１に固定される。
【００１７】
上置２の内側は、複数枚（本実施形態では３枚）の中立板７１−７３によって、横並びの４つのスペース７５−７８に区画される。隣接するスペース７５−７８間は、中立板７１−７３に形成された円形の開口８０によって連通される。天板６１の左側部分には、天板６１の上面側（上置２の外側）と、左側板６３と中立板７１との間のスペース７５とを連通させる円形の開口８１が形成される。他方、地板６２の右側部分には、右棚５の天板４１の開口５４に一致させた円形の開口８２が形成される。ここで、開口８０−８２は、猫が通過可能な形状（大きさ）であり、上置２の内側には、図１に示される猫の移動経路Ｒ２（ペット移動経路）が設けられる。
【００１８】
右棚５の内側のスペースは、右棚５の天板４１の開口５４および上置２の地板６２の開口８２によって連通される。すなわち、猫の移動経路Ｒ１およびＲ２は、右棚５の天板４１の開口５４および上置２の地板６２の開口８２によって接続（連続）される。なお、家具１は、上置２の天板６１と住宅の壁（図示省略）とに固定される傾倒防止具８４によって地震等による傾倒対策が講じられている。
【００１９】
次に、本実施形態の作用を説明する。
ここでは、猫（ペット）が、床面（家具１の設置面）から上置き２の天板６１上に上がるまでの移動経路（ペット移動経路）を説明する。まず猫は、下置３の天板１１上に跳び上がる。次に猫は、右棚５の前面の開口から当該右棚５の内側のスペース（地板４２と踏板４８との間の最下部のスペース）に進入し、移動経路Ｒ１（図１参照）に沿って右棚５の内側を上方向へ移動する。すなわち、猫は、右棚５内の最下部のスペースから、踏板４８と右側板４４との間の隙間を通って踏板４８上に移動し、さらに踏板４８上から踏板４９と左側板４３との間の隙間を通って踏板４９上に移動する。
【００２０】
次に猫は、踏板４９上から、右棚５の天板４１の開口５４および上置２の地板６２の開口８２を通過して、上置２の内側の最右部のスペース７８へ移動する。このとき、猫は、円形の開口５４，８２の縁部に足を掛けることができるので、スペース７８に容易に上ることが可能である。さらに、当該スペース７８から、移動経路Ｒ２（図１参照）に沿って上置２の内側を左方向へ移動する。すなわち、猫は、スペース７８から、中立板７３の開口８０を通ってスペース７７へ移動し、さらに中立板７２の開口８０を通ってスペース７６へ移動し、さらに中立板７１の開口８０を通って最左部のスペース７５へ移動する。そして猫は、スペース７５から、天板６１の開口８１を通って天板１１の上面に到達することができる。なお、前述した移動経路Ｒ１およびＲ２（ペット移動経路）を逆方向へ辿ることで、猫は、上置２の天板６１の上から床面へ移動することができる。
【００２１】
ここで、猫（ペット）の遊具を備える従来の家具は、猫の遊具として使用するときの状態が、収納として使用するときの状態と相違し、収納スペースの外側に、猫の足場の占居スペースを確保する必要があった。これに対し、本実施形態に係る家具１は、右棚５の内側に猫の移動経路Ｒ１を設けたので、猫の足場となる踏板４８，４９が収納スペース（外枠）の外側へ突出されることがなく、省スペース化することが可能である。また、本実施形態に係る家具１は、猫の遊具を備える従来の家具のような猫の足場を現出させる手間を必要としない。
【００２２】
この実施形態では以下の作用効果を奏する。
本実施形態によれば、ペットの遊具を備える家具（１）であって、縦方向へ延びるペット移動経路（Ｒ１）が内側に設けられた棚（５）を有するので、収納スペースの外側に、ペットの足場の占居スペースを確保する必要がなく、省スペース化が可能である。また、ペットの遊具として使用する状態が、収納として使用する状態と同一であるので、ペットの遊具として使用するときにペットの足場を準備する等の手間を省くことができる。
【００２３】
また、本実施形態によれば、棚（５）は、対向して配置される一対の側板（４３，４４）と、一対の側板（４３，４４）間に設けられる踏板（４８，４９）と、を有しているので、棚（５）の内側にペットの移動経路（Ｒ１）を設けることができる。
【００２４】
また、本実施形態によれば、踏板（４８，４９）は、縦方向に間隔をあけて複数枚が設けられるので、ペットは、踏板（４８，４９）を足場として縦方向へ移動することができる。
【００２５】
また、本実施形態によれば、踏板（４８，４９）は、一方の側板（４３）と他方の側板（４４）とに交互に設けられるので、ペットは、側板（４３，４４）間を横方向（左右）へ移動しながら縦方向へ移動することになり、ペットの動きに変化を付与することができる。
【００２６】
また、本実施形態によれば、横方向へ延びるペット移動経路（Ｒ２）が内側に設けられた上置（２）を有し、上置（２）は、棚（５）の天板（４１）上に設けられ、棚（５）の天板（４１）および上置（２）の地板（６２）に、棚（５）の内側のペット移動経路（Ｒ１）と上置（２）の内側のペット移動経路（Ｒ２）とを連続させる開口（５４，８２）が設けられるので、縦に延びるペット移動経路（Ｒ１）と横に延びるペット移動経路（Ｒ２）とを連続させることができる。これにより、ペットの移動距離が長くなるので、飼い主は、ペットの動作をより長い間楽しむことができる。
【００２７】
また、本実施形態によれば、天板（１１）上に棚（５）が配置される下置（３）を有し、下置（３）は、テレビ台であるので、テレビの周囲（上方および側方）のスペースをペットの遊具として有効利用することができる。なお、本実施形態は、テレビ台を含むことに限定されるものではなく、例えば、本棚を含む家具に適用することができる。
【符号の説明】
【００２８】
１  家具、５  右棚（棚）、Ｒ１  ペット移動経路
【図１】
2019062971.tif 000003
【図２】
2019062971.tif 000004
【図３】
2019062971.tif 000005
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ペットの遊具を備える家具であって、
対向して配置される一対の側板および縦方向に間隔をあけて前記一対の側板間に設けられる複数枚の踏板を有し、縦方向に延びるペット移動経路が内側に設けられた棚と、前記棚の天板上に一端部が取付けられ、横方向に延びるペット移動経路が内側に設けられた上置と、を備え、
前記踏板は、一方の前記側板と他方の前記側板とに交互に設けられ、
前記棚の天板および前記上置の地板に、前記棚の内側を縦方向に延びるペット移動経路と前記上置の内側を横方向に延びるペット移動経路とを連続させる開口が設けられ、
前記上置の内側は、複数枚の中立板によって横並びのスペースに区画され、隣接する前記スペースは、前記中立板に形成された開口によって互いに連通され、
前記上置の天板には、該天板の上面側と前記上置の他端部に配置された前記スペースとを連通させる開口が形成されていることを特徴とする家具。
【請求項２】
天板上に前記棚が配置される下置を有し、
前記下置は、テレビ台であることを特徴とする請求項１に記載の家具。
【手続補正２】
【補正対象書類名】明細書
【補正対象項目名】０００６
【補正方法】変更
【補正の内容】
【０００６】
上記課題を解決するために、本発明は、ペットの遊具を備える家具であって、対向して配置される一対の側板および縦方向に間隔をあけて前記一対の側板間に設けられる複数枚の踏板を有し、縦方向に延びるペット移動経路が内側に設けられた棚と、前記棚の天板上に一端部が取付けられ、横方向に延びるペット移動経路が内側に設けられた上置と、を備え、前記踏板は、一方の前記側板と他方の前記側板とに交互に設けられ、前記棚の天板および前記上置の地板に、前記棚の内側を縦方向に延びるペット移動経路と前記上置の内側を横方向に延びるペット移動経路とを連続させる開口が設けられ、前記上置の内側は、複数枚の中立板によって横並びのスペースに区画され、隣接する前記スペースは、前記中立板に形成された開口によって互いに連通され、前記上置の天板には、該天板の上面側と前記上置の他端部に配置された前記スペースとを連通させる開口が形成されていることを特徴とする。